【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
第１波長の第１光信号（１１３）を送信するように構成される光源（１１２）と、
前記光源（１１２）に接続される第１ボールレンズ（１１６）であって、該第１ボールレンズ（１１６）が第１表面（１０１）を有し、該第１表面（１０１）が、第１部分（１１５）と、該第１部分（１１５）とは反対側の第２部分（１１７）と、を含み、前記第１表面（１０１）が、前記第１光信号（１１３）を前記光源（１１２）から前記第１部分（１１５）で受信し、かつ前記第１光信号（１１３）を前記第１部分（１１５）及び前記第２部分（１１７）で屈折させて、第１分散光信号（１１９）を生成するように構成され、該第１分散光信号（１１９）が、リモート受信機で、第１見通し伝送路を介して受信されるように構成される、前記第１ボールレンズ（１１６）と、
第２波長の第２収束光信号（１２９）を受信するように構成される検出器（１２２）と、
前記検出器（１２２）に接続される第２ボールレンズ（１２６）であって、該第２ボールレンズ（１２２）が第２表面（１０３）を有し、該第２表面（１０３）が、第３部分（１２５）と、該第３部分（１２５）とは反対側にあって前記検出器（１２２）に隣接する第４部分（１２７）と、を含み、前記第３部分（１２５）が、第２光信号（１２３）を、第２見通し伝送路を介してリモート送信機から受信し、かつ前記第２光信号（１２３）を前記第３部分（１２５）及び前記第４部分（１２７）で屈折させて、前記第２光信号（１２３）を収束させて第２収束光信号（１２９）を生成するように構成される、前記第２ボールレンズ（１２６）と、
前記光源（１１２）及び前記検出器（１２２）に動作可能に接続されるコントローラ（１３０、１３２）と、を備え、該コントローラ（１３０）は、発信データを受信し、かつ前記第１光信号（１１３）を変調して前記発信データを送信するように構成された第１電気信号（１１１）を生成するように構成され、前記コントローラ（１３０、１３２）は、第２電気信号（１２１）を前記検出器（１２２）から受信し、かつ前記第２電気信号（１２１）を復調して着信データを生成するように構成される、光ワイヤレストランシーバ（１００）。
【請求項２】
更に、略平坦なベース部を備え、前記光源（１１２）及び前記検出器（１２２）は、前記略平坦なベース部から第１方向（１５０）に遠ざかるように延在する、請求項１に記載の光ワイヤレストランシーバ（１００）。
【請求項３】
前記光源（１１２）は、前記略平坦なベース部から前記第１方向（１５０）に第１距離（１４４）だけ延在し、前記検出器（１２２）は、前記略平坦なベース部から前記第１方向（１５０）に第２距離（１４５）だけ延在し、前記第１距離（１４４）は、前記第２距離（１４５）よりも第１差分だけ上回り、かつ前記第１差分は、前記第２ボールレンズ（１２６）が、前記第１分散光信号（１１９）を前記第１ボールレンズ（１１６）から受信するのを防止するように設定され、
前記第１方向（１５０）は、前記略平坦なベース部の面に略直交する方向、及び前記略平坦なベース部の前記面に略平行な方向のうちの一方の方向であり、
前記光源（１１２）及び前記検出器（１２２）は、前記略平坦なベース部の両側縁部に隣接して配置され、
前記略平坦なベース部は、前記コントローラ（１３０）をスモールフォームファクタトランシーバマルチソースアグリーメント（ＳＦＦ  ＭＳＡ）に準拠するように構成される複数のコネクタピン（１０８）に接続する寸法及び配線仕様別ピン配列を有する、請求項２に記載の光ワイヤレストランシーバ（１００）。
【請求項４】
前記コントローラ（１３０、１３２）は、送信機コントローラ（１３０）と、受信機コントローラ（１３２）と、を含み、前記送信機コントローラ（１３０）及び前記受信機コントローラ（１３２）は、少なくとも２つの個別の物理デバイスを含む、請求項１から３のいずれか一項に記載の光ワイヤレストランシーバ（１００）。
【請求項５】
前記第１波長は前記第２波長とは異なる、請求項１から４のいずれか一項に記載の光ワイヤレストランシーバ。
【請求項６】
前記光ワイヤレストランシーバ（１００）は光ワイヤレスネットワーク（７０１）により用いられ、前記光ワイヤレスネットワーク（７０１）は、ビークル（７００）の機内客室（７０２）内で少なくとも１つの電子機器（７３０〜７３４）との光ワイヤレス通信を可能にするように構成される、請求項１から５のいずれか一項に記載の光ワイヤレストランシーバ（１００）。
【請求項７】
第１電気信号（１１１）をビークル（７００）のオンボードシステム（７０４）から受信することと、
前記第１電気信号（１１１）を第１波長の第１変調光信号（１１３）に変換することと、
前記第１変調光信号（１１３）を屈折させて、第１分散光信号（１１９）を生成することと、
前記第１分散光信号（１１９）を、前記ビークル（７００）の機内客室（７０２）のボリューム内に送信することであって、前記第１分散光信号（１１９）が前記機内客室（７０２）内の電子機器（７３０〜７３４）により第１見通し光伝送路を介して検出可能である、前記送信することと、
第２波長の第２光信号（１２３）を、第２見通し光伝送路を介して前記電子機器（７３０〜７３４）から受信することと、
前記第２光信号（１２３）を収束させて第２収束光信号（１２９）を生成することと、
前記第２収束光信号（１２９）を復調して、第２電気信号（１２１）を生成することと、
前記第２電気信号（１２１）を前記オンボードシステムに供給することと、
を含む、方法。
【請求項８】
更に、前記第１分散光信号（１１９）を、前記機内客室（７０２）内の少なくとも２つの箇所から送信して、前記電子機器が前記第１分散光信号（１１９）であって、前記機内客室（７０２）内の客室照明を与える前記第１分散光信号（１１９）を、前記第１見通し光伝送路が少なくとも部分的に遮蔽されるときに検出することができるようにすることを含む、請求項７に記載の方法。
【請求項９】
機内客室（７０２）と、
データを、前記機内客室（７０２）内に配置される少なくとも１つの電子機器（７３０〜７３４）との間で授受するように構成されるオンボードシステム（７０４）であって、該オンボードシステム（７０４）が、第１データを含む第１電気信号（７０５）を生成するように構成され、前記オンボードシステム（７０４）が、第２データを含む第２電気信号（７０７）を、前記少なくとも１つの電子機器（７３０〜７３４）から受信するように構成される、前記オンボードシステム（７０４）と、
前記機内客室（７０２）内の前記少なくとも１つの電子機器（７３０〜７３４）との光ワイヤレス通信を可能にするように構成される光ワイヤレスネットワーク（７０１）と、を備え、該光ワイヤレスネットワーク（７０１）は：
第１波長の第１光信号（１１３）を、第１見通し光伝送路を介して、前記機内客室内に送信するように構成される少なくとも１つの光源（１１２）であって、該少なくとも１つの光源（１１２）が、前記第１電気信号（１１１）を前記オンボードシステム（７０４）から受信し、前記第１電気信号（１１１）を前記第１光信号（１１３）に変換するように構成され、かつ前記第１電気信号（１１３）の変調が、人間の目では検出できないように設定される、前記少なくとも１つの光源と、
第２波長の第２光信号（１２９）を、第２見通し光伝送路を介して、前記少なくとも１つの電子機器（７３０〜７３４）から受信するように構成される少なくとも１つの検出器（１２２）であって、該少なくとも１つの検出器（１２２）が、前記第２光信号（１２９）を前記第２電気信号（１２１）に変換し、前記第２電気信号（１２１）を前記オンボードシステム（７０４）に送信するように構成され、かつ前記第２光信号（１２９）が、人間の目では検出できないように設定される、前記少なくとも１つの検出器と、を含む、ビークル（７００）。
【請求項１０】
前記第１波長は可視スペクトルに含まれ、かつ前記少なくとも１つの光源（１１２）は更に、前記機内客室（７０２）内の客室照明として動作するように構成され、
前記少なくとも１つの光源（１１２）は、前記第１光信号（１１３）を、複数の第１冗長箇所で生成するように構成される複数の光送信機のうちの１つであり、かつ
前記少なくとも１つの検出器（１２２）は、前記第１光信号（１１３）を、複数の第２冗長箇所で受信するように構成される複数の検出器のうちの１つである、
請求項９に記載のビークル（７００）。